(57)【要約】【課題】光ディスクの装填から記録再生までのセットアップ時間を短縮することができる光ディスク装置を提供すること。【解決手段】多層光ディスク対応の光ディスク装置において、フォーカススイープ中に、球面収差補正量を、光ディスクの複数の記録層に対応して異なるように設定し、光検出部より得られる戻り光に対応する信号を、前記複数の記録層に対して生成することにより、適切な信号振幅を取得できるとともに、セットアップ時間を短縮できる。【選択図】図２
2011141915.tif 000002
【特許請求の範囲】
【請求項１】
複数の記録層を有する光ディスクに対して情報の記録および／または再生を行なう光ディスク装置であって、
前記光ディスクに対してレーザを照射するレーザ光源と、
前記レーザ光源から照射されたレーザ光に対して所定の球面収差補正量を設定する球面収差補正部と、
前記レーザ光を、前記球面収差補正部を介して前記記録層に集光する対物レンズと、
前記対物レンズを前記光ディスクのフォーカス方向に移動させるアクチュエータと、
前記光ディスクからの戻り光を検出する光検出部と、を備え、
前記球面収差補正部は、前記アクチュエータによるフォーカススイープ中に、球面収差補正量を、前記光ディスクの複数の記録層に対応して異なるように設定し、
前記光検出部より得られる戻り光に対応する信号を、前記複数の記録層に対して生成することを特徴とする光ディスク装置。
【請求項２】
請求項１記載の光ディスク装置であって、
前記アクチュエータによるフォカススイープ中に、前記アクチュエータにより前記対物レンズの移動する速度が変化することを特徴とする光ディスク装置。
【請求項３】
請求項２記載の光ディスク装置であって、
前記アクチュエータによるフォカススイープ中に、隣り合う第一の記録層と第二の記録層との間で、前記アクチュエータにより前記対物レンズの移動する速度が変化することを特徴とする光ディスク装置。
【請求項４】
請求項２または３に記載の光ディスク装置であって、
前記光ディスクの第一の記録層に対応する前記信号の振幅の最大値の前、前記対物レンズの移動する速度は第一の速度であり、前記光ディスクの第一の記録層に対応する前記信号の振幅の最大値の後、前記対物レンズの移動する速度は前記第一の速度から前記第一の速度よりも遅い第二の速度とすることを特徴とする光ディスク装置。
【請求項５】
請求項２または３に記載の光ディスク装置であって、
前記光ディスクの第一の記録層に対応する前記信号の振幅の最大値から、前記光ディスクの第二の記録層に対応する前記信号の振幅の最大値までに、前記対物レンズの移動する速度は、第一の速度から前記第一の速度より速い第二の速度になることを特徴とする光ディスク装置。
【請求項６】
請求項２または３に記載の光ディスク装置であって、
前記アクチュエータは、前記光ディスクの第一の記録層に対応する前記信号の振幅の最大値の前に、前記第一の記録層に対応する球面収差補正量の設定が完了するように、前記対物レンズの移動する速度を制御することを特徴とする光ディスク装置。
【請求項７】
請求項１〜６のいずれかに記載の光ディスク装置であって、
前記光ディスクの第一の記録層に対応する前記信号の振幅の最大値の後、前記球面収差補正部は前記光ディスクの第二の記録層に対応する球面収差補正量に設定することを特徴とする光ディスク装置。
【請求項８】
請求項５記載の光ディスク装置であって、
前記第一の記録層と前記第二の記録層は、隣り合うことを特徴とする光ディスク装置。
【請求項９】
請求項１〜８のいずれかに記載の光ディスク装置であって、
前記球面収差補正量は、前記光ディスクの隣り合う層の間に相当する量であることを特徴とする光ディスク装置。
【請求項１０】
請求項１〜９記載の光ディスク装置であって、
前記フォーカススイープの方向は、前記光ディスクに近づく方向また遠ざかる方向であることを特徴とする光ディスク装置。
【請求項１１】
請求項１〜１０のいずれかに記載の光ディスク装置であって、
前記信号の信号波形を保持する信号波形保持部を備え、
前記フォーカススイープ中に、前記信号波形保持部に保持された前記信号の信号波形から傾きを求め、傾きの符号が正から負に傾きが変化する点を前記信号の最大値として保持することを特徴とする光ディスク装置。
【請求項１２】
請求項１〜１１のいずれかに記載の光ディスク装置であって、
前記信号の振幅調整を行うことを特徴とする光ディスク装置。
【請求項１３】
複数の記録層を有する光ディスクに対して情報の記録および／または再生を行なう光ディスク装置の信号生成方法であって、
前記光ディスクに対してレーザを照射するステップと、
前記照射されたレーザ光に対して所定の球面収差補正量を設定するステップと、
前記レーザ光を、前記記録層に集光するステップと、
前記集光された集光点を前記光ディスクのフォーカス方向に移動させるステップと、
前記光ディスクからの戻り光を検出するステップと、
前記移動させるステップによるフォーカススイープ中に、球面収差補正量を前記光ディスクの複数の記録層に対応して異なるように設定するステップと、
前記検出するステップにより得られる戻り光に対応する信号を、前記複数の記録層に対しいて生成するステップと、
を有することを特徴とする信号生成方法。
【発明の詳細な説明】
【技術分野】
【０００１】
本発明は、光ディスク装置のセットアップ技術に関する。
【背景技術】
【０００２】
本技術分野の背景技術としては、例えば特許文献１がある。
【０００３】
特許文献１には、「光ディスク１の片面に設けた複数の記録再生膜からの反射するレーザ光から生成されるフォーカスエラー信号とフォーカス総和信号から、光ヘッド２を各記録再生層に位置付けるフォーカス制御を具備する光ディスク装置において、各層からの反射率をフォーカスエラー信号の振幅を取得し、その反比例の係数を各層毎に用意された正規化利得に設定することで、一つの層で調整したフォーカス閉サーボループ調整結果を、調整していない記録再生膜を持つ別層にも適用できることにより、調整処理していない記録再生層に移動しても、調整を行った記録再生層と同等のサーボの安定性を実現する」と記載されている。
【先行技術文献】
【特許文献】
【０００４】
【特許文献１】特開２００４−２７３０００号公報
【発明の概要】
【発明が解決しようとする課題】
【０００５】
光ディスクは取り扱うデータ量の増大化に伴い、大容量化の一途をたどり、近い将来記録層が３層、４層に積層された光ディスクの実用化が図られる可能性がある。また、その後も５層以上の光ディスクの実用化がなされる可能性があり、多層化が進むにつれ、光ディスク装置の光ディスクの装填から記録再生までのセットアップ時間も延びることが予想される。ここで、光ディスク装置のセットアップにかかる処理には、各層の反射光量に対応する信号例えば総和信号やフォーカスエラー信号の振幅を測定することが含まれる。これは、例えば、多層ディスクにおいて球面収差ずれにより各層の反射光率が異なるようにみえるため、各層に対して反射信号の増幅率の適正化を図る必要があり、この反射信号に基づいてサーボを安定させなければならないためである。
【０００６】
また、多層化が進むにつれ、反射信号の振幅値のばらつきが大きくなり、また反射信号の振幅は小さくなる。そのため、所望の反射信号を検出できにくくなる。一方、反射光量を大きくするためにレーザパワーを大きくすると記録層のデータが破壊されるおそれがある。
【０００７】
特許文献１には「２層光ディスクからの２つのフォーカスエラー信号から、予め２つのフォーカスエラー信号振幅を測定しておく。」と記載されている。しかし、特許文献１は、カバー層厚さや層間の厚さの誤差によって生じる球面収差補正のことを考慮していないため、反射信号振幅の大きさの適正化を考慮していない。よって、特許文献１は、各層の反射信号の振幅が小さく検出できない可能性があるため、この場合再度セットアップ動作を行う必要があり、セットアップ時間が延び、またサーボが不安定になる可能性がある。
【０００８】
本発明はこのような問題点に鑑みてなされたものであり、光ディスク装置のセットアップ時間を短縮することができる光ディスク装置を提供する。
【課題を解決するための手段】
【０００９】
上記の課題は、その一例としてフォーカススイープ中に、球面収差補正量を、光ディスクの複数の記録層に対応して異なるように設定することによって解決される。
【発明の効果】
【００１０】
本発明により、セットアップ時間を短縮することができる光ディスク装置を提供することができる。
【図面の簡単な説明】
【００１１】
【図１】実施例１、３、５、６の光ディスク装置のブロック図
【図２】実施例１のフローチャート
【図３】実施例１の動作を説明する波形図
【図４】実施例２、４の光ディスク装置のブロック図
【図５】実施例２のフローチャート
【図６】ＰＥ信号の傾きからＰＥ信号の最大値を求める模式図
【図７】実施例２の動作を説明する波形図
【図８】実施例３のフローチャート
【図９】実施例４のフローチャート
【図１０】実施例５のフローチャート
【図１１】実施例５の動作を説明する波形図
【図１２】実施例６のフローチャート
【図１３】実施例６の動作を説明する波形図
【発明を実施するための形態】
【００１２】
以下は本発明を実施するための形態として、光ディスク装置の例を示す。また、ここで説明する構成は実施形態の一例を示すものであり、本発明はこの実施形態に限定されるものではない。
【実施例１】
【００１３】
実施例１の光ディスク装置１４０のブロック図を図１に示す。
【００１４】
図１の光ディスク１は複数の記録層を持つ光ディスクである。ここでは各層を図1のようにＬ０,Ｌ１,・・・Ｌｎとする。ここで、「記録層」とは情報が既に記録されている層及びこれから情報が記録されるであろう層を含む。
【００１５】
光ピックアップ２は、光ディスク１に対応する光ピックアップであり、対物レンズ３、光検出器４、フォーカスアクチュエータ５、レーザ光源６、レーザ発光制御回路７、偏光ビームスプリッタ８、球面収差補正素子９、λ／４板１０、コリメートレンズ１１を備える。ここでレーザ発光制御回路７は、レーザ光源６の発光及び消光の制御を行う。レーザ光源６から照射されたレーザ光は発散光束であり、この発散光束はコリメートレンズ１１により平行光束となる。この平行光束は、偏光ビームスプリッタ８を透過し、球面収差補正素子９で所定の球面収差補正がなされ、λ／４板１０により偏光状態が直線偏光から円偏光に変化した後に対物レンズ３により光ディスク１上の所望の記録層に集光する。
【００１６】
集光した記録層から反射した光はλ／４板１０により偏光状態が円偏光から直線偏光に変わり偏光ビームスプリッタ８により光検出器４へ向かい光検出器４で光電変換され電気信号になる。
【００１７】
プルインエラー信号生成回路１２は、光検出器４で得られた電気信号の反射光量に応じた信号であるプルインエラー信号（以下、プルインエラー信号をＰＥ信号と略す）を生成する回路である。ＰＥ信号は、光検出器４で得られた電気信号の反射光の総和信号に相等する。
【００１８】
フォーカスアクチュエータドライバ１３は、光ディスク１の記録層に対して略垂直方向（以下、フォーカス方向と称する）に、フォーカスアクチュエータ５の移動制御を行う。
【００１９】
フォーカス制御回路１４は、フォーカスアクチュエータドライバ１３がフォーカスアクチュエータ５の移動制御を行うために用いられるフォーカス制御信号を生成する制御回路である。
【００２０】
マイクロコンピュータ１５（以下、マイコン１５と略す）は、光ディスク装置１４０全体の制御を行う。
【００２１】
球面収差補正素子９は、記録層の光入射側手前に設けられたカバー層厚さや記録層間の厚さの誤差によって生じる球面収差を補正するための素子であり、例えば、レンズ間距離が可変の２枚のレンズの組合せからなり、そのレンズ間距離を変化させ調整し、これにより、通過光束の球面収差を補正することが可能な、所謂、ビームエキスパンダにより構成されている。なお、球面収差補正素子９はこれに限るものではなく、例えば、同心円状パターンを有し、光束の内周部と外周部との間に位相差をあたえることによって上記の効果を与えることが可能な液晶素子であってもよい。なお、球面収差補正素子９にレンズの組合せ用いると、液晶素子に比べ価格が安価であり、また制御がしやすい。また、液晶素子を用いると、レンズの組合せに比べ省スペース化が図れ、また駆動時間も速くなる。
【００２２】
本光ディスク装置１４０に係る各記録層から得られるＰＥ信号の振幅を所望の振幅に調整するためのフローチャートを図２に示す。ここでは複数の記録層をもつ光ディスク１をＬ０、Ｌ１、Ｌ２、Ｌ３層の４層として説明する。ここで、光入射側から順にＬ３、Ｌ２、Ｌ１、Ｌ０層とする。
【００２３】
まず、ステップＶ００で光ディスク１の層数を数えるためのＣｏｕｎｔ数を零に初期化し、ステップＶ０１で球面収差補正素子９の補正量をＬ３層に合わせて設定する。ここで層数は光ディスク１の４層に加えて光ディスク１の表面も含めて説明するため、Ｃｏｕｎｔ数としては本実施例において０、１、２、３、４の５通りの値をとり、層数は４となる。この層数は、光ディスク装置の電源が投入されてから本発明が実施されるまでに検出されているものとし、光ディスクの種別も判別されているものとする。なお、本実施例では表面も含めてカウントするようにしたが、表面を含めなくてもよい。ここでカウントの方法は、例えばＰＥ信号の電圧が高い側から低い側に閾値を横切るとき、またはＰＥ信号の電圧が低い側から高い側に閾値を横切るときを１回と数えても良いし、閾値をＰＥ信号の電圧が低い側から高い側に横切ったことを検出し、その後ＰＥ信号の電圧が高い側から低い側に閾値を横切ったことを検出した場合を１回と数えても良い。
【００２４】
次にステップＶ１０で、光ピックアップをフォーカス方向に駆動すると図３(a)に示すように対物レンズ３が光ディスク１に近づく。この動作を以下、フォーカススイープという。「フォーカススイープ」とは、電源投入後または光ディスク挿入後から光ディスクの記録または再生が行われるまでの間に、対物レンズ３をフォーカス方向に動かすことである。
【００２５】
フォーカススイープを行うと図３（ｂ）に示すようなＰＥ信号生成回路１２により生成されるＰＥ信号波形が得られる。
【００２６】
次にステップＶ２０でＰＥ信号振幅の計測を開始し、ステップＶ３０でＰＥ信号の振幅値が光ディスク１の表面のＰＥ信号の最大値を検出できる閾値以上かどうかを所定の時間間隔で振幅値を計測することにより監視する。閾値以上のＰＥ信号振幅が得られたら、ステップＶ４０でＰＥ信号振幅最大値保持を開始する。このＰＥ信号振幅の最大値の保持は、計測済みの計測値より新たに測定された計測値の方が等しい、あるいは大きいのであれば逐次更新する。保持されている最大値よりも新たに計測された計測値の方が小さくなった場合には、例えばその後の計測値を３点保持する。その後、ステップＶ５０で計４点の計測されたデータ点から３回連続して計測された振幅値が保持されている最大値より小さければ、ステップＶ６０で保持されている最大値をＣｏｕｎｔ数が例えば零のときの最大値として保持する。ここで、計４点のデータ点から最大値を求めたが、５点以上または３点のデータ点から求めてもよい。
【００２７】
ステップＶ６０で最大値が求まったらステップＶ７０でＣｏｕｎｔ数と予め検出された層数を比較し、等しくなければ、ステップＶ８０でＣｏｕｎｔ数が零かどうかを判断する。Ｃｏｕｎｔ数が零のときは光ディスク１の表面であるとしてステップＶ９１でＣｏｕｎｔ数に1を加算し球面収差補正素子９の補正量をＬ３層に合わせたままとしてステップＶ２０に移行する。ステップＶ８０でＣｏｕｎｔ数が１以上であればステップＶ９０でＣｏｕｎｔ数に1を加算し、Ｖ１００で球面収差補正素子９を次の層例えばＬ３層からＬ２層に合わせ、ステップＶ２０に移行する。これをＣｏｕｎｔ数と予め検出された層数が等しくなるまで行うことにより収差が小さい状態で各層のＰＥ信号振幅値が得られる。球面収差補正素子９の補正量の切り替えは、ステップＶ９０で層毎のＰＥ信号振幅の最大値が得られた後、図３（ａ）で示すｔ１、ｔ２、ｔ３のようなパルス状の指令が球面収差補正素子９に対してマイコン１４から与えられることで行われる。球面収差補正素子９が例えば２枚のレンズの組合せからなるものである場合、上記パルス状の指令は複数のパルスから構成されているものでもよい。こうすることにより、一つのパルス状の指令に対して２枚のレンズ間距離の変化量が定められていれば、パルス状の指令の回数により球面収差補正量を変化させることができる。また、２枚のレンズの組合せは、１枚のレンズを固定し、残りの1枚をステッピングモータに駆動信号（図示しない）をだすことで２枚のレンズの距離を調整してもよい。
【００２８】
なお、規格により光ディスクの種類に応じたカバー層厚さと層間距離は定められているため、光ディスク１の各層の球面収差補正量の情報は、予め光ディスク装置が記憶している。なお、ステップＶ９０と１００のフローは逆でもよい。
【００２９】
ステップＶ７０で予め検出された層数とＣｏｕｎｔ数が一致したら、すべての層のＰＥ信号振幅最大値の計測が終了したことになる。その後、ステップＶ１１０で例えば調整目標のＰＥ信号振幅値が５００ｍＶである場合、各層のＰＥ信号振幅最大値と５００ｍＶを比較して各層毎の係数を算出する。この結果、すべての層のＰＥ信号振幅を目標の５００ｍＶにすることができる。なお、図３においてＰＥ信号電圧の振幅値はほぼ同程度となっているが、実際にはばらつく。
【００３０】
本実施例によれば、一回のフォーカススイープで光ディスクの各層の適切なＰＥ信号を得られ、光ディスク装置のセットアップ時間を短縮できる。
【００３１】
なお、ＰＥ信号のかわりに、フォーカスエラー信号を用いてもよいし、前記総和信号は部分的な加算による信号であってもよい。
【実施例２】
【００３２】
実施例２の光ディスク装置１４１のブロック図を図４に示す。
【００３３】
図４は実施例１の光ディスク装置１４０において、ＰＥ信号波形を保存するメモリ１６を加えた構成のブロック図である。
【００３４】
図４において、図１の実施例と同じ機能を有する部分には同一の番号を付し、説明を省略する。
【００３５】
図４の実施例ではＰＥ信号波形を保存するメモリ１６（以下、波形保存メモリ１６と略す）のデータを用いて、マイコン１５はＰＥ信号の傾きを図６に示すように波形保存メモリ１６のデータから求め、傾きの符号が傾き１の正から傾き２の負に変わり、かつ例えば連続して２回以上負の傾きが得られたらＰＥ信号のピーク電圧は超えたと判断する。この後、球面収差補正素子９の補正量を次の層に合わせるよう設定することで、次の層で収差が小さい状態でＰＥ信号の最大値が得られる。
【００３６】
次に、本光ディスク装置１４１に係る動作概要を図５のフローチャートで説明する。ここでは複数の記録層をもつ光ディスク１を実施例１と同様に４層として説明する。
ステップＷ００〜Ｗ１０は図２のステップＶ００〜Ｖ１０と同様であるため、説明を省略する。
【００３７】
ステップＷ１０の後、図３（ｂ）に示すようなＰＥ信号生成回路１２により生成されたＰＥ信号波形が得られる。
【００３８】
ステップＷ２０で波形保存メモリ１６にＰＥ信号波形保持を開始する。ステップＷ３０で保持した波形データから傾きを求め、傾きの符号が正から負に変化し、かつ例えば負の符号が２回連続であれば、ステップＷ４０でＰＥ信号の計測データの中から最大値を探し、その値をＣｏｕｎｔ数に相当する層での最大値として保持する。ここで、測定ばらつきを考え傾きの符号が負に変化しているかどうかを２回連続としたが、１回でも良いし、３回以上連続でも良い。ステップＷ５０〜Ｗ９０は図２のステップＶ７０〜１１０と同様であるため説明を省略する。
【００３９】
以上に述べたように本実施例によれば、波形保存メモリ１６によりＰＥ信号波形の傾きからＰＥ信号の最大値を求めることができるので、例えば振幅値にばらつきが多い場合、該最大値を求める精度が実施例１に比べ向上する。
【００４０】
なお、波形保存メモリ１６の部分をマイコン１５の演算能力で計算により実現することも可能である。また、ステップＷ３０における傾きを複数の傾きの平均値から判断しても良いし、傾きではなく任意のデータ間の変化率から判断しても良い。更に、波形保存メモリ１６はＬＳＩのメモリで実現しても良い。
【実施例３】
【００４１】
実施例３の光ディスク装置は実施例１のブロック図である図１と同様である。しかし、実施例１とは対物レンズ３のフォーカス方向の速度が変化する点が異なる。
【００４２】
対物レンズ３のフォーカス方向の速度を変化させるのは、例えば球面収差補正素子９の性能により、フォーカスイープ中、次の層のＰＥ信号を得るまでに球面収差補正量を切り替えることができない場合を考慮したものである。
【００４３】
本光ディスク装置１４０に係る各記録層から得られるＰＥ信号の振幅を所望の振幅にする調整するためのフローチャートを図８に示す。ここでは複数の記録層をもつ光ディスク１を実施例１と同様に４層として説明する。
【００４４】
ステップＸ００〜Ｘ９１は図２のＶ００〜Ｖ９１と同様であるため説明を省略する。ステップＸ８０でＣｏｕｎｔ数が零以外のときはステップＸ９０で現在のＣｏｕｎｔ数に1を加算する。そしてステップＸ１００でマイコン１５からフォーカス制御回路１４に対して所定の時間当たりの電圧値を変えることで、対物レンズ３が光ディスク１に近づく速度（以下フォーカススイープ速度と呼ぶ）を速度１から速度２にして速度１よりも遅くする。また、ステップＸ１００で図７（a）のｔ１、ｔ２、ｔ３で示すパルス状の指令がマイコン１５から球面収差補正素子９に対して与えられると、球面収差補正素子９により次の層例えばＬ３層からＬ２層に合わせるよう設定する。ステップＸ１１０で球面収差補正素子９の設定が完了したかどうかを判断し、球面収差補正素子９の設定が完了していれば、ステップＸ１２０でマイコン１５からフォーカス制御回路１４に対してフォーカスアクチュエータ５を駆動する電圧値の変更が成されることで、フォーカススイープ速度を速度２から速度１に戻す。このようにして各層のＰＥ信号の振幅値が得られる。ステップＸ１３０は図２のステップ１１０と同様であるため、説明は省略する。
【００４５】
本実施例によれば、フォーカススイープ中にフォーカススイープ速度を変化させることができるため、セットアップ時間を短縮しつつ、フォーカススイープ中、所望の層のＰＥ信号の振幅が得られる前にその層に対応する球面収差補正量に設定することができなくなるという可能性を低減できる。
本実施例ではフォーカススイープ速度は速度１と速度２の２通りとしたが、３通り以上であってもよいし、層間の違いにより速度を変えても良い。また、対物レンズと光ディスクの衝突を防ぐために、対物レンズが光ディスクに近づくにつれて、フォーカススイープ速度を遅くしてもよい。また、ステップＸ１００でフォーカススイープ速度の変化と球面収差補正量の変更を行っているが、フォーカススイープ速度の変化を球面収差補正量の変更の前に行ってもよいし、その逆でもよい。また、ステップＸ９０とＸ１００は逆であってもよい。
【実施例４】
【００４６】
実施例４の光ディスク装置は、実施例２のブロック図である図４と同様である。しかし、実施例２とは対物レンズ３のフォーカススイープ速度が変化する点が異なる。
【００４７】
波形保存メモリ１６のデータを用いて、マイコン１５はＰＥ信号の傾きを図６に示すように波形保存メモリ１１のデータから求め、傾きの符号が傾き１の正から傾き２の負に変わりかつ例えば連続して２回以上負の傾きが得られたらＰＥ信号のピーク電圧は超えたと判断する。この後、球面収差補正素子９に次の層までの層間に相当する球面収差補正量をレーザ光に対して付加することで、次の層で収差が小さい状態でＰＥ信号の最大値が得られる。
【００４８】
本光ディスク装置１４１に係る各記録層から得られるＰＥ信号の振幅を所望の振幅に調整するためフローチャートを図９に示す。ここでは複数の記録層をもつ光ディスク１を実施例１と同様に４層とする。ステップＹ００〜Ｙ７１は図５のステップＷ００〜Ｗ７１と同様であり、ステップＹ８０〜Ｙ１１０は図８のステップＸ１００〜Ｘ１３０と同様であるため説明を省略する。
【００４９】
本実施例によれば、波形保存メモリ１６によりＰＥ信号波形の傾きからＰＥ信号の最大値を求めることができるので、例えば振幅値にばらつきが多い場合、該最大値を求める精度が実施例１に比べ向上する。また、最大値を求める精度が実施例１に比べ向上した状態で、フォーカススイープ中にフォーカススイープ速度を変化させることができるため、球面収差補正素子９の設定完了の指令も適切なタイミングで行える。そのため、セットアップ時間を短縮しつつ所望の層のＰＥ信号の振幅が得られる前にその層に対応する球面収差補正量に設定することができなくなるという可能性を実施例３に比べ低減できる。
【実施例５】
【００５０】
実施例５の光ディスク装置は実施例１のブロック図である図１と同様である。実施例１とは球面収差補正素子９の初期補正量の値が異なる。
【００５１】
本光ディスク装置に係る各記録層から得られるＰＥ信号の振幅を所望の振幅に調整するためのフローチャートを図１０で説明する。ここでは複数の記録層をもつ光ディスク１を実施例１と同様に４層として説明する。
【００５２】
まず、ステップＺ００で光ディスク１の層数を数えるためのＣｏｕｎｔ数を零に初期化し、ステップＺ０１で球面収差補正素子９の補正量をＬ２層とＬ３層の中間に相当するよう設定する。ここで層数は光ディスク１の４層に加えて光ディスク１の表面も含めて説明するため、Ｃｏｕｎｔ数としては本実施例において０、１、２、３、４の５通りの値をとり、層数は４となる。本実施例では表面も含めてカウントするようにしたが、表面を含めなくてもよい。また、例えばＬ２層とＬ３層の中間としたが中間でなく、Ｌ２層とＬ３層の層間の１／３に相当するよう設定しても良い。これは隣り合う層の間に相当する補正量であればよく、中間や１／３に限られない。次にステップＺ１０で光ピックアップをフォーカス方向に駆動すると図１１(ａ)に示すように対物レンズ３が光ディスク１に近づく。このときに図１１（ｂ）に示すようなＰＥ信号生成回路１２により生成されたＰＥ信号波形が得られる。ステップＺ２０〜Ｚ７０は図２のステップＸ２０〜Ｘ７０と同様であるため説明を省略する。
【００５３】
ステップＺ８０で光ディスク１の表面、Ｌ３層、Ｌ２層のときは球面収差補正素子９を動かさないためＣｏｕｎｔ数が２以下かどうかを判断する。ここで、Ｃｏｕｎｔ数が２以下であれば、ステップＺ９１で現在のＣｏｕｎｔ数に1を加算しステップＺ２０に移行する。ここでＣｏｕｎｔ数が３以上であればステップＺ６０で現在のＣｏｕｎｔ数に１を加算し、Ｚ７０で球面収差補正素子９により次の層までの層間例えばＬ１とＬ０の中間に相当する球面収差補正量を現在のＬ層３とＬ２層の中間の球面収差補正量を基にレーザ光に与えることでＬ１とＬ０でのＰＥ信号振幅値が得られる。これは図１１（ａ）で示すｔ１のようなパルス状の指令がマイコン１４から球面収差補正素子９に対して与えられることで行われる。ステップＺ７０で予め検出された層数とＣｏｕｎｔ数が一致したら、すべての層のＰＥ信号振幅最大値の計測が終了したことになる。ステップＺ１１０は図２のステップＶ１１０と同様であるため説明を省略する。
【００５４】
以上に述べたように本実施例によれば、球面収差補正素子９の稼動回数を減らすことができ、消費電力を低減できる。また、実施例３および４のようにフォーカススイープ速度を変化させなくても、球面収差補正素子９の稼動回数を減らすことができるため、フォーカススイープ中に、所望の層のＰＥ信号の振幅が得られる前にその層に対応する球面収差補正量に設定することができなくなるという可能性を低減できる。
【実施例６】
【００５５】
実施例６の光ディスク装置は実施例１のブロック図である図１と同様であるが、実施例１とは対物レンズ３が光ディスク１に近づく速度が変化する点と球面収差補正素子９の補正量の設定値が異なる。
【００５６】
本光ディスク装置に係る各記録層から得られるＰＥ信号の振幅を所望の振幅に調整するための概要を図１２のフローチャートで説明する。ここでは複数の記録層をもつ光ディスク１を４層として説明する。ステップＡ００〜Ａ８０は、図１０のステップＺ００〜Ｚ８０と同様であるため説明を省略する。ステップＡ９０〜Ａ１３０は、図８のＸ９０〜Ｘ１３０と同様であるため説明を省略する。図１３に本実施例の動作を説明するための波形図を示す。
【００５７】
本実施例によれば、球面収差補正素子９の稼動回数を減らし、かつ、フォーカススイープ速度を変化させることにより、実施例５に比べ、所望の層のＰＥ信号の振幅が得られる前にその層に対応する球面収差補正量に設定することができなくなるという可能性をさらに低減できる。
【００５８】
また、実施例１〜６を４層の光ディスクを挿入した場合について説明したが、本発明の目的を達成するには、実施例１〜４については記録層が２層以上の光ディスクであればよく、実施例５と６については３層以上の光ディスクであればよい。
【００５９】
また、本装置は、ＢＤ、ＨＤ―ＤＶＤ、ＤＶＤ、ＣＤなどの各種の光ディスクが装着可能である。
【００６０】
また、実施例１〜６では対物レンズ３が光ディスク１に近づく方向で説明しているが遠ざかる場合でも良い。近づく方向にフォーカススイープ中に、所定時間経過してもＰＥ信号が得られない場合、該所定時間経過後に、対物レンズの動作を停止または対物レンズを光ディスクから離れる方向に動作させることができる。これにより、対物レンズと光ディスクの衝突する可能性を低減できる。
【００６１】
また、本発明が適用されるセットアップ処理の目的の１つとして、本発明をＡＧＣ（Ａｕｔｏ  Ｇａｉｎ  Ｃｏｎｔｒｏｌ）回路の飽和を低減するためにも用いることができる。具体的には、本発明により得られた信号振幅値を調整することにより、信号の振幅レベルを入力電圧範囲内にし、適切にＡＧＣ回路を動作させることができ、アクチュエータを安定的に制御することができる。
【００６２】
また、上記実施例では、主に波形を保存するメモリを用いる場合、フォーカススイープ速度が変化する場合、光ディスクの記録層の間に相当する球面収差補正量を設定する場合について説明したが、これらを上述した実施例以外の組み合わせで用いてもよい。
【符号の説明】
【００６３】
１・・・(多層の)光ディスク、２・・・光ピックアップ、３・・・対物レンズ、４・・・光検出器、５・・・フォーカスアクチュエータ、
６・・・レーザ光源、７・・・レーザ発光制御回路、８・・・偏光ビームスプリッタ、９・・・球面収差補正素子、１０・・・λ／４板、１１・・・コリメートレンズ、
１２・・・ＰＥ信号生成回路、１３・・・フォーカスアクチュエータドライバ、１４・・・フォーカス制御回路、１５・・・マイコン、１６・・・ＰＥ信号波形を保存するメモリ、１４０・・・光ディスク装置
【図１】
2011141915.tif 000003
【図２】
2011141915.tif 000004
【図３】
2011141915.tif 000005
【図４】
2011141915.tif 000006
【図５】
2011141915.tif 000007
【図６】
2011141915.tif 000008
【図７】
2011141915.tif 000009
【図８】
2011141915.tif 000010
【図９】
2011141915.tif 000011
【図１０】
2011141915.tif 000012
【図１１】
2011141915.tif 000013
【図１２】
2011141915.tif 000014
【図１３】
2011141915.tif 000015